(57)【特許請求の範囲】
【請求項１】
測定手段と、
前記測定手段により測定された測定データを記憶する測定データ記憶手段と、
任意のコメントを音声または画像として入力するコメント入力手段と、
前記コメント入力手段により入力されたコメントをコメントデータに変換するコメント認識手段と、
前記コメントデータを記憶するコメント記憶手段と、
日時情報を取得する日時情報取得手段と、
前記測定データ記憶手段に記憶された測定データおよび前記コメント記憶手段に記憶されたコメントデータを外部装置へ送信する送信手段とを備え、
前記日時情報取得手段により取得した測定日時情報を前記測定データとともに前記測定データ記憶手段に記憶し、
前記日時情報取得手段により取得したコメント入力日時情報を前記コメントデータとともに前記コメント記憶手段に記憶し、
前記送信手段が、前記測定データおよびコメントデータを、測定日時またはコメント入力日時の順に、前記測定データ記憶手段または前記コメント記憶手段から取り出して外部装置へ送信することを特徴とするコメント入力機能付測定装置。
【請求項２】
前記コメント入力手段がコメントを音声入力し、前記コメント認識手段が、前記コメント入力手段により入力されたコメントを、前記コメント認識手段に格納可能な形式の音声データに変換する、請求項１に記載のコメント入力機能付測定装置。
【請求項３】
前記コメント入力手段がコメントを画像入力し、前記コメント認識手段が、前記コメント入力手段により入力されたコメントを、前記コメント認識手段に格納可能な形式の画像データに変換する、請求項１に記載のコメント入力機能付測定装置。
【請求項４】
前記コメント認識手段が、前記コメント入力手段により入力されたコメントをテキストデータに変換する、請求項１に記載のコメント入力機能付測定装置。
【請求項５】
前記コメント認識手段が、前記コメント入力手段により入力されたコメントをイベントコードに変換する、請求項１に記載のコメント入力機能付測定装置。
【請求項６】
日時情報を取得する日時情報取得手段をさらに備え、
前記日時情報取得手段により取得した測定日時とコメント入力日時との間隔が所定の時間内である場合、当該測定データとコメントデータを関連付けて前記測定データ記憶手段およびコメント記憶手段へ記憶する、請求項１〜５のいずれか一項に記載のコメント入力機能付測定装置。
【発明の詳細な説明】
【発明の属する技術分野】
本発明は、データを測定したときの状況について任意のコメントを入力することが可能な、コメント入力機能付測定装置に関する。
【従来の技術】
近年、高血圧症や糖尿病などの生活習慣病の患者数は年々増加の一途をたどっている。生活習慣病の患者の多くは入院の必要はなく月に１，２回程度医療機関で診断を受けている。在宅患者は自分の症状を把握し管理するために、血圧計や小型血糖測定装置に代表される在宅医療のための測定装置を利用している。
例えば小型血糖測定装置であれば、糖尿病患者が自宅で日常生活を送りながら血糖値の測定を行い、測定結果を「手帳」に記録したり、装置内のメモリに記憶させておき、医療機関での診断時にその記録させたデータをもとに医師の診断を受けている。
さらに、最近は、前記小型測定装置から、電話回線などを介して、医療機関などに設置されたホストコンピュータにデータを送信できるようになっており、患者が通院しなくても医療機関側で患者の状態を把握することができるようになっている。そのため、患者は通院回数を少なくできるなどの効果が得られている。
例えば、特開平７−１１６１２７号公報には、在宅患者が測定装置により測定したデータのうち、患者が必要とするデータのみを登録することができる在宅医療データ管理装置が開示されている。この装置によれば、患者が所定の測定時刻以外に測定したデータや、第三者が当該装置を用いて測定したデータについては、登録指示操作をしなければそのデータが登録されることはないので、医療機関が必要とする測定データのみを医療機関に送信することができる。
【発明が解決しようとする課題】
しかしながら、生活習慣病に関連する検査項目（血糖値、血圧、尿など）は患者の状態によって値が変化することが知られており、患者が必要とするデータのみ選択して医療機関に送信するだけでは、医療機関側が患者の診断をする上で必要とする情報を得られるとは言えない。例えば、血糖値は、食事、運動、ストレス、投薬などにより変動するため、これらの影響をチェックしておくことが測定値を正しく解釈するために必要である。血糖値は、特に食事の影響を大きく受けることが知られている。血糖値は空腹時には低下し、食後は上昇する。そのため、測定時に患者がどのような状態であったかを知ることが、測定データを正しく判断するために必要となってくる。
従来の血糖測定装置（グルコカードGT−1650、アークレイ株式会社製）では、「食後マーク」記憶機能がある。これは、食後に測定した測定データについては、食後の測定データであることを示す「食後マーク」をその測定データとともに測定装置に記憶させるものである。「食後マーク」を記憶させるための操作手順は以下のとおりである。
血糖測定装置は、血糖値測定後に「食後マーク」設定モードに入り、画面に測定値を表示するとともに測定値の右上に食後マークを点滅させる。食後マーク点滅中に測定者が操作ボタンを２秒以上押しつづけると、食後マークが点灯し、その測定結果は食後の測定値であるとしてこの血糖測定装置に記憶される。前記血糖測定装置は「コントロールマーク」記憶機能も有している。「食後マーク」点滅中に操作ボタンを短く１回押すことにより「CONT」の表示が点灯し、その測定結果は、血糖測定装置の精度を確認するための標準液の測定結果として記憶される。
前記在宅医療データ管理装置においては、患者により登録された測定データのみ医療機関へ送信されるために、異常データが発生した場合に患者がその測定データを登録しないなど、患者が測定データを操作するおそれがある。また、異常データを送信したとしてもその異常データが発生した原因を医療機関では把握することができず、患者が医療機関に診療に行った際にその原因を患者に確認しなければならないので、異常データが発生したときから患者が医療機関に行くまでに日数があいた場合には、異常データが発生したときの状態を患者が忘れており、異常データが発生した原因を把握することができなくなるという問題があった。
前記血糖測定装置では、測定値に食事マークがつけられることによりその測定値が食後の測定値であることはわかるものの、食後すぐであるのか、食後１時間の測定値であるのか、などという詳細な情報を知ることはできなかった。
また、食事時間以外にも「インシュリン注射」などの処置を行った時間など測定データに影響を与えるイベントの発生した時間を記録しておくことは、診療を行う上で有効であるが、従来の装置にはそれらを記憶する機能はなかった。「コントロールマーク」の記憶のようにいろいろなイベント情報を測定結果に持たせることは、装置の設計上可能であるが、ボタン操作が複雑になり、測定を行う患者にとって操作がわずらわしくなるという問題があった。
本発明は、任意のコメントを簡単な操作で記録することができる、コメント入力機能付測定装置を提供することを目的とする。
【課題を解決するための手段】
上記の目的を達成するために、本発明にかかる測定装置は、測定手段と、前記測定手段により測定された測定データを記憶する測定データ記憶手段と、任意のコメントを音声または画像として入力するコメント入力手段と、前記コメント入力手段により入力されたコメントをコメントデータに変換するコメント認識手段と、前記コメントデータを記憶するコメント記憶手段とを有することを特徴とする。
これにより、測定者は、測定を行った際の状態に関する任意のコメントを、測定データとともに測定装置に記憶させることができる。例えば、血糖測定装置等の生体情報用の測定装置であれば、食後何時間後の測定であるか等、測定時の患者の状態をコメントとして入力することができる。また、例えば水質、騒音、大気汚染度等の環境データの測定装置であれば、測定者の五官から得た情報をコメントとして入力することも考えられる。これにより、後で測定データを確認する場合に、どういう状況でその測定データが得られたかをコメントから知ることができるので、測定データの解析に役立つ。また、音声または画像によりコメント入力を行うことにより、測定装置の操作者が複雑な操作を行う必要もないという利点もある。
【発明の実施の形態】
以下、本発明の実施の形態を、図面を参照して詳細に説明する。
（第１の実施形態）
図１は本発明の第１の実施形態に係る小型血糖測定装置の内部構成を示すブロック図である。前記小型血糖測定装置１は、制御部としてＣＰＵ３１を備え、前記ＣＰＵ３１には、記憶部４０、表示部３３、時計３４、センサ２を挿入するセンサ挿入部３２、センサ２の出力信号を増幅するアナログ信号処理部３６、前記アナログ信号処理部３６からの出力信号をデジタル信号に変換するＡ／Ｄ変換部３５、外部とデータの送受信を行う通信ポート１２、および外部から音声情報を入力する音声入力部２７、入力された音声を認識する音声認識部２８が接続されている。記憶部４０は、さらにＩＤ記憶部４１、測定データ記憶部４２、コメント記憶部４３、検量線データ記憶部４４により構成されている。
前記の構成にかかる小型血糖測定装置１による測定の手順を、図２により説明する。患者は小型血糖測定装置１のセンサ挿入部３２にセンサ２を挿入する（図２のＳ１）。センサ挿入部３２にセンサ２が挿入されることにより、小型血糖測定装置１の電源が入る（Ｓ２）。その後、小型血糖測定装置１は測定待機状態になる。
患者は穿刺具で自分の指先を突き血液を採取する。患者が小型血糖測定装置１に取りつけられたセンサ２の先端を、採取した血液に着けると、センサ２に血液が導入される（Ｓ３）。センサ２の電極（図示せず）が血液を検知すると、小型血糖測定装置１は測定を開始する（Ｓ４）。測定開始から一定時間経過すると、センサ２からの出力をアナログ信号処理部３６で増幅し、Ａ／Ｄ変換部３５でデジタル信号に変換し、ＣＰＵ３１に送る（Ｓ５）。ＣＰＵ３１は、記憶部４０の検量線データ記憶部４４に記憶されている検量線データを参照し、センサ出力値を成分濃度に変換し、表示部３３に濃度値を測定データとして表示するとともに、時計３４より日時情報を入手し（Ｓ６）、入手した日時情報と測定データとを関連付けて、測定データ記憶部４２に記憶する（Ｓ７）。
次に、小型血糖測定装置１は、表示部３３に「コメント入力しますか？」というメッセージを表示する（Ｓ８）。患者は、コメントを入力する場合は、小型血糖測定装置１のボタン３９を押しながら音声入力部２７に向かって「ちょっと食べ過ぎました」などとコメントしたい内容を話し、話が終わったらボタン３９を離す（Ｓ９〜Ｓ１１）。
音声入力部２７より入力された音声情報は、音声認識部２８により認識され（Ｓ１２）、音声データファイルに変換され（Ｓ１３）、ＣＰＵ３１により時計３４から取得された日時情報（Ｓ１４）とともに、コメント記憶部４３に記憶される（Ｓ１５）。なお、Ｓ１２の音声認識は、例えばパターン認識法やマッチング法等を用い、例えば、音声中の短時間の周波数成分のパターン変化等に基づいて音声を認識する。
コメントの入力が測定から１分以内に行われた場合は、入力されたコメントは、当該測定の結果として測定データ記憶部４２に記憶された測定データと関連付けられて、コメント記憶部４３に記憶される。測定から一定時間経過すると小型血糖測定装置１の電源は自動的に切れる。
なお、測定データ記憶部４２に記憶された測定データとコメント記憶部４３に記憶されるコメントとの関連づけは、必ずしも明示的でなくてもよい。例えば、測定データとコメントの記憶時にはこれらの間に明示的な関連付けを行わず、後述するように小型血糖測定装置１から外部へ測定データを送信する際に、測定データの日時情報とコメントの日時情報とを比較し、その差が１分以内である場合、当該測定データと当該コメントが関連するものとして扱うようにしてもよい。
また、本実施形態にかかる小型血糖測定装置１では、データの測定とは関係なく、コメントの入力だけを行うこともできる。コメント入力のみを行う場合の手順は以下のとおりである。まず、患者が小型血糖測定装置１のボタン３９を押すことにより、小型血糖測定装置１の電源が投入される。患者は、ボタン３９を押しながら音声入力部２７に向かって「食事」や「インシュリン１２単位」などとコメントしたい内容を話し、話が終わったらボタン３９を離す。音声入力部２７より入力された音声情報は、音声認識部２８で認識され、時計３４より入手した日時情報と関連付けられて、コメント記憶部４３に音声データファイルとして記憶される。
次に、小型血糖測定装置１から外部装置へ測定データの送信を行う場合の手順を以下に説明する。通信ポート１２に通信ケーブル（図示せず）を接続した状態でボタン３９を押して電源を投入すると、小型血糖測定装置１は通信モードで立ち上がる。さらにもう一度ボタン３９を押すと、通信ポート１２より、記憶部４０の測定データ記憶部４２に記憶されている測定データと、コメント記憶部４３に記憶されているコメントデータとを、時間順に並べて送信する。送信先である外部装置は、患者が有するパソコンなどのデータ管理装置でも良いし、モデムおよび公衆回線を通じて小型血糖測定装置１に直接接続される、医療機関等のデータ管理装置であっても良い。
図３に、外部装置へ送信されるデータの一例を示す。図３に示すように、外部装置へ送信されるデータは、日、時、測定値、及びコメントファイル、の４項目を含むレコードを単位とする。測定データと関連付けられて記憶されたコメントは、一連のデータとして、すなわち当該測定データと同一のレコードとして送信される。なお、コメントデータのみのデータは、測定データを「―――」として送信される。
図３のデータ例において、例えば日時情報が「２０００年９月１５日」の「６：１５」であるデータは、コメントと関連付けられずに単独で測定データ記憶部４２に記憶されていた測定データである。また、日時情報が同日の「６：３５」であるデータは、測定データと関連付けられずに単独でコメント記憶部４３に記憶されていたコメントである。一方、日時情報が同日の「８：３２」であるデータは、測定データとコメントとが関連付けられて一連のデータとして記憶部４０に記憶されていたものである。なお、この一連のデータの日時情報は、測定データの日時情報として図２のＳ６で取得されたものである。
上記実施形態では、コメントデータは音声情報としてファイル化されたデータとしたが、テキストデータに変換しテキストデータとして記憶、送信しても良い。この場合は、図２のフローチャートのＳ９〜Ｓ１５の処理の代わりに、図４に示すＳ９〜Ｓ１５’の処理を行う。すなわち、音声認識部２８で、入力された音声を認識し（Ｓ１１’）、認識した音声情報をテキスト情報に変換し（Ｓ１２’）、変換後のテキストデータを日時情報とともにコメント記憶部４３に記憶する（Ｓ１３’〜Ｓ１４’）。患者はコメント入力が終了すればボタンを離す（Ｓ１５’）。なお、このようにコメントをテキストデータ化して記憶した場合であっても、小型血糖測定装置１から外部への測定データの送信手順は、コメントファイルではなくテキストデータ化されたコメントを送信する以外は、コメントが音声情報としてファイル化されている前述の場合と同様である。
また、コメントデータを予め設定されたイベントコードに変換して記憶しても良い。前記イベントコードとは、患者がコメントに含めることが想定される行為等の各々に、固有に付したコードである。例えば、「食事」はイベントコード「０１」として、「インシュリン注射」はイベントコード「０２」として記憶するように予め設定しておく。「ショクジチュウデス」と音声で入力されると音声情報の中から「ショクジ」の語を抽出しイベントコード「０１」としてコメント記憶部４３に記憶し、「インシュリンチュウシャシマシタ」と音声で入力されると音声情報の中から「インシュリンチュウシャ」の語を抽出しイベントコード「０２」としてコメント記憶部４３に記憶する。この場合も、小型血糖測定装置１から外部装置への測定データの送信手順は、コメントファイルではなくイベントコード化されたコメントを送信する以外は、コメントが音声情報としてファイル化されている前述の場合と同様である。この場合、受信側のデータ管理装置にも、イベントコードとコメントが対応付けられて記憶されており、データを出力するときにはイベントコード「０１」は「食事」に逆変換して出力され、イベントコード「０２」は「インシュリン注射」に逆変換されて出力される。
このように、患者のコメントをテキストデータ化またはイベントコード化して記憶することにより、コメント記憶部４３の記憶容量を有効利用することができる。また、外部装置へ測定データおよびコメントを送信する際も、コメントそのものを送信する場合に比べて送信データ容量が小さくて済み、送信効率が向上するという利点もある。
以上では、本発明の実施形態を小型血糖測定装置により説明したが、本発明は小型血糖測定装置に限定されることはなく、心電計や血圧計などの任意の測定装置に適用できるものである。
（第２の実施形態）
本発明の他の実施の形態を、図面を参照して詳細に説明する。
図７は、本発明の第２の実施形態に係る小型血糖測定装置１０の正面図である。図７に示すように、小型血糖測定装置１０の前面には、測定結果などを表示する表示部３３、文字情報などを入力するためのペン入力部３７、操作用のボタン３９が設けられている。図７中の３７１は、ペン入力部３７内に設けられた入力終了ボタンである。
なお、図７では、表示部とペン入力部とが別個に形成された構成を例示したが、例えば液晶表示パネルと感圧素子とを組み合わせたタッチパネルなどを用いて、表示部とペン入力部とを一体形成した構成としてもよい。
図８は、本実施形態にかかる小型血糖測定装置１０の内部構成を示すブロック図である。小型血糖測定装置１０は、制御部としてＣＰＵ３１を備え、前記ＣＰＵ３１には、記憶部４０、表示部３３、時計３４、センサ２を挿入するセンサ挿入部３２、センサ２の出力信号を増幅するアナログ信号処理部３６、前記アナログ信号処理部３６からの出力信号をデジタル信号に変換するＡ／Ｄ変換部３５、外部とデータの送受信を行う通信ポート１２、外部から手書き文字などの画像情報を入力するペン入力部３７、および、入力された画像情報を認識する画像認識部３８が接続されている。記憶部４０は、ＩＤ記憶部４１、測定データ記憶部４２、コメント記憶部４３、検量線データ記憶部４４により構成されている。
前記の構成にかかる小型血糖測定装置１０による測定の手順を、図９により説明する。患者は小型血糖測定装置１０のセンサ挿入部３２にセンサ２を挿入する（図９のＳ２１）。センサ挿入部３２にセンサ２が挿入されることにより、小型血糖測定装置１０の電源が入る（Ｓ２２）。その後、小型血糖測定装置１０は測定待機状態になる。
患者は穿刺具で自分の指先を突き血液を採取する。患者が小型血糖測定装置１０に取りつけられたセンサ２の先端を、採取した血液に着けると、センサ２に血液が導入される（Ｓ２３）。センサ２の電極（図示せず）が血液を検知すると、小型血糖測定装置１０は測定を開始する（Ｓ２４）。測定開始から一定時間経過すると、センサ２からの出力をアナログ信号処理部３６で増幅し、Ａ／Ｄ変換部３５でデジタル信号に変換し、ＣＰＵ３１に送る（Ｓ２５）。ＣＰＵ３１は、記憶部４０の検量線データ記憶部４４に記憶されている検量線データを参照し、センサ出力値を成分濃度に変換し、表示部３３に濃度値を測定データとして表示するとともに、時計３４より日時情報を入手し（Ｓ２６）、入手した日時情報と測定データとを関連付けて、測定データ記憶部４２に記憶する（Ｓ２７）。
次に、小型血糖測定装置１０は、表示部３３に「コメント入力しますか？」というメッセージを表示する（Ｓ２８）。患者は、コメントを入力する場合は、ペン（図示せず）を用いて、小型血糖測定装置１０のペン入力部３７に対し、「ちょっと食べ過ぎました」などと、コメントしたい内容を手書き文字により入力する（Ｓ２９）。ペン入力部３７に入力されたペンの軌跡は表示部３３に表示される。すなわち、患者は、表示部３３に表示された画像を見ながら入力することにより、入力している文字を確認することができる。
一連の入力の後、一定時間以上入力がなかった場合、画像認識部３８は、その一連の入力を一文字として認識する（Ｓ３０）。一文字認識した後、表示部３３の画像をクリアし、次の入力の待機状態となる（Ｓ３１）。患者は、入力したいコメントをすべて入力し終わると、ペン入力部３７の右下の入力終了ボタン３７１（図７参照）をペンで触れる。これにより、コメントの入力が終了する。なお、画像認識部３８による画像（文字）認識は、例えば、パターンマッチング法またはゾンデ法等を用いて行うことが可能である。
コメント入力が終了すると、Ｓ３０で認識された画像情報は画像データファイルに変換され、ＣＰＵ３１により時計３４から取得された日時情報（Ｓ３２）とともに、コメント記憶部４３に記憶される（Ｓ３３）。コメントの入力が測定から１分以内に行われた場合は、入力されたコメントは、当該測定の結果として測定データ記憶部４２に記憶された測定データと関連付けられて、コメント記憶部４３に記憶される。測定から一定時間経過すると小型血糖測定装置１０の電源は自動的に切れる。
なお、測定データ記憶部４２に記憶された測定データとコメント記憶部４３に記憶されるコメントとの関連づけは、必ずしも明示的でなくてもよい。例えば、測定データとコメントの記憶時にはこれらの間に明示的な関連付けを行わず、後述するように小型血糖測定装置１０から外部へ測定データを送信する際に、測定データの日時情報とコメントの日時情報とを比較し、その差が１分以内である場合、当該測定データと当該コメントが関連するものとして扱うようにしてもよい。
また、本実施形態にかかる小型血糖測定装置１０では、データ測定とは関係なく、コメントの入力だけを行うこともできる。コメント入力のみを行う場合の手順は以下のとおりである。まず、患者が小型血糖測定装置１０のボタン３９を押すことにより、小型血糖測定装置１０の電源が投入される。患者は、ペン入力部３７に対し、ペンを用いて、「食事」や「インシュリン１２単位」などとコメントしたい内容を手書き入力する。ペン入力部３７より入力された画像情報は、画像認識部３８で認識され、時計３４より入手した日時情報と関連付けて、コメント記憶部４３に画像データファイルとして記憶される。
次に、小型血糖測定装置１０から外部装置へ測定データの送信を行う場合の手順を以下に説明する。通信ポート１２に通信ケーブル（図示せず）を接続した状態でボタン３９を押して電源を投入すると、小型血糖測定装置１０は通信モードで立ち上がる。さらにもう一度ボタン３９を押すと、通信ポート１２より、記憶部４０の測定データ記憶部４２に記憶されている測定データと、コメント記憶部４３に記憶されているコメントデータとを、時間順に並べて送信する。送信先である外部装置は、患者が有するパソコンなどのデータ管理装置でも良いし、モデムおよび公衆回線を通じて小型血糖測定装置１０に直接接続される、医療機関等のデータ管理装置であっても良い。
図１０に、外部装置へ送信されるデータの一例を示す。図１０に示すように、外部装置へ送信されるデータは、日、時、測定値、及びコメントファイル、の４項目を含むレコードを単位とする。測定データと関連付けられて記憶されたコメントは、一連のデータとして、すなわち当該測定データと同一のレコードとして送信される。なお、コメントデータのみのデータは、測定データを「―――」として送信される。
図１０のデータ例において、例えば日時情報が「２０００年９月１５日」の「６：１５」であるデータは、コメントと関連付けられずに単独で測定データ記憶部４２に記憶されていた測定データである。また、日時情報が同日の「６：３５」であるデータは、測定データと関連付けられずに単独でコメント記憶部４３に記憶されていたコメントである。一方、日時情報が同日の「８：３２」であるデータは、測定データとコメントとが関連付けられて一連のデータとして記憶部４０に記憶されていたものである。なお、この一連のデータの日時情報は、測定データの日時情報として図９のＳ２６で取得されたものである。
なお、上記では、コメントデータは画像情報としてファイル化されたデータとしたが、テキストデータに変換しテキストデータとして記憶、送信しても良い。この場合は、図９に示したフローチャートのＳ３０の後に、図１１に示すように、画像認識部３８で認識した画像情報をテキスト情報に変換する処理（Ｓ３０’）を追加し、変換後のテキストデータをコメント記憶部４３に記憶する。この場合も、小型血糖測定装置１０から外部への測定データの送信手順は、コメントの画像データファイルの代わりにテキストデータ化されたコメントを送信する以外は、コメントが画像情報としてファイル化されている前述の場合と同様である。
また、コメントデータを予め設定されたイベントコードに変換して記憶しても良い。この場合は「食事」はイベントコード「０１」として、「インシュリン注射」はイベントコード「０２」として記憶するように、予め設定しておく。例えば「食事中」という単語を含むコメントが入力されると、このコメントから「食事」の語を抽出しイベントコード「０１」としてコメント記憶部４３に記憶し、「インシュリン注射しました」というコメントが入力されるとこのコメントから「インシュリン注射」の語を抽出しイベントコード「０２」としてコメント記憶部４３に記憶する。この場合も、小型血糖測定装置１０から外部装置への測定データの送信手順は、コメントファイルではなくイベントコードを送信する以外は、コメントが音声情報としてファイル化されている前述の場合と同様である。この場合、受信側のデータ管理装置にも、イベントコードとコメントが対応付けられて記憶されており、データを出力するときにはイベントコード「０１」は「食事」に逆変換して出力され、イベントコード「０２」は「インシュリン注射」に逆変換されて出力される。
このように、患者のコメントをテキストデータ化またはイベントコード化して記憶することにより、コメント記憶部４３の記憶容量を有効利用することができる。また、外部装置へ測定データおよびコメントを送信する際も、コメントそのものを送信する場合に比べて送信データ容量が小さくて済み、送信効率が向上するという利点もある。
なお、上記した第１・第２の実施形態では、測定手段とコメント入力手段が一筐体に組み込まれた測定装置を例示したが、複数のハードウェアによって構成される測定装置も、本発明の範囲に含まれる。例えば、コメント入力手段としての音声入力装置または画像入力装置を、測定用センサ等を有する装置とは別個のハードウェアとして形成し、コメント入力を行う場合に、前記の音声入力装置または画像入力装置をケーブル（あるいは赤外線等の無線接続でもよい）により接続して使用する構成も、本発明の範囲内である。また、本実施形態では、手書き文字によりコメントを入力する構成を例示したが、キーボード等を用いてコメントをキー入力し、入力されたコメントをテキストデータとして記憶・送信する構成としてもよい。
以上では、本発明の実施形態を小型血糖測定装置により説明したが、本発明は小型血糖測定装置に限定されず、心電計や血圧計などの任意の測定装置に適用できる。また、本発明は、医療目的の測定装置に限定されず、例えば、水質、土壌、または大気成分等の環境データの測定装置や、その他の任意の用途の測定装置にも本発明を適用することができる。
産業上の利用可能性
以上のように、本発明によれば、簡単な操作で測定データについてのコメントを入力することができ、測定データとコメントを関連付けて外部装置へ送信することが可能な測定装置を提供できる。これにより、例えば異常データの背景を患者の診断前に把握することができるようになり効率のよい診療を行うことができるようになる。また、患者にとっても測定データにコメントを簡単に入力することができることにより、異常データが発生した場合はその異常データの発生の原因を考えるようになり、日常生活の中での自己管理への興味が高まり、その結果として患者自身の病状の管理がうまくできるようになるという効果もある。
【図面の簡単な説明】
【図１】図１は、本発明にかかるコメント入力機能付測定装置の第１の実施形態を示すブロック図である。
【図２】図２は、測定からコメント入力の処理手順を示すフローチャートである。
【図３】図３は、コメントデータを音声情報ファイルとして出力したデータである。
【図４】図４は、音声情報をテキストデータに変換する処理手順を示すフローチャートである。
【図５】図５は、第１の実施形態にかかるコメント入力機能付測定装置において、コメントデータをテキストとして出力したデータの一例を示す説明図である。
【図６】図６は、イベントコードとコメントの関係を示す図である。
【図７】図７は、本発明にかかるコメント入力機能付測定装置の第２の実施形態を示す前面図である。
【図８】図８は、前記第２の実施形態にかかるコメント入力機能付測定装置のブロック図である。
【図９】図９は、第２の実施形態にかかるコメント入力機能付測定装置における、測定からコメント入力の処理手順を示すフローチャートである。
【図１０】図１０は、第２の実施形態にかかるコメント入力機能付測定装置における、音声情報をテキストデータに変換する処理手順を示すフローチャートである。
【図１１】図１１は、第２の実施形態にかかるコメント入力機能付測定装置における、画像情報をテキストデータに変換する処理手順を示すフローチャートである。
【図１２】図１２は、第２の実施形態にかかるコメント入力機能付測定装置において、コメントデータをテキストとして出力したデータの一例を示す説明図である。
【図１】
0003658651.tif 000002
【図２】
0003658651.tif 000003
【図３】
0003658651.tif 000004
【図４】
0003658651.tif 000005
【図５】
0003658651.tif 000006
【図６】
0003658651.tif 000007
【図７】
0003658651.tif 000008
【図８】
0003658651.tif 000009
【図９】
0003658651.tif 000010
【図１０】
0003658651.tif 000011
【図１１】
0003658651.tif 000012
【図１２】
0003658651.tif 000013